【事件の表示】
　特願２０１５−５０９２０９「サービスインターフェースを個人化および／または調整するためのシステムおよび方法」拒絶査定不服審判事件〔平成２５年１０月３１日国際公開、ＷＯ２０１３／１６３６３４、平成２７年　７月２７日国内公表、特表２０１５−５２１４０６〕について、次のとおり審決する。
【結　論】
　本件審判の請求は、成り立たない。
【理　由】
第１　手続の経緯
　本願は、２０１３年（平成２５年）４月２７日（パリ条約による優先権主張外国庁受理　２０１２年４月２７日　米国、２０１２年７月１９日　米国、２０１２年１０月１７日　米国）を国際出願日とする出願であって、その手続の経緯は以下のとおりである。
　平成２８年　１月　４日付け　拒絶理由通知書
　平成２８年　７月１２日　　　意見書の提出
　平成２８年１２月２７日付け　拒絶査定
　平成２９年　５月１０日　　　拒絶査定不服審判の請求、手続補正書の提
　　　　　　　　　　　　　　　出
　平成３０年　７月１３日付け　拒絶理由通知書（当審）
　平成３０年１１月１３日　　　意見書、手続補正書の提出
第２　本願発明について
　本願の請求項１〜２８に係る発明は、平成３０年１１月１３日にされた手続補正により補正された特許請求の範囲の請求項１〜２８に記載された事項により特定されるところ、その請求項１３は、以下のとおりである。(下線は当審が付与。) 
「　無線送受信ユニット（ＷＴＲＵ）であって、
　
前記
　前記要求に応答して一時サービス名を前記ＷＴＲＵによって受信し、前記一時サービス名は前記サービスの特徴を指定している複数のテキスト文字列を含み、
　前記一時サービス名に基づいて、前記ネットワークを介して前記アプリケーションサーバによって提供される前記サービスの前記セッションに前記ＷＴＲＵによって参加する
　ように構成されたことを特徴とするＷＴＲＵ。」
　しかしながら、「前記アプリケーションサーバ」より以前に「アプリケーションサーバ」について記載されていないことから、「前記アプリケーションサーバ」は「アプリケーションサーバ」の誤記と認められる。したがって、本件補正後の請求項１３に係る発明は、次のとおりのものと認める（以下、「本願発明」という。）。
「　無線送受信ユニット（ＷＴＲＵ）であって、
　アプリケーションサーバによって提供されるサービスに対するセッションに参加するための要求を前記ＷＴＲＵへの通信接続性を提供するネットワークを介して前記ＷＴＲＵによって送り、
　前記要求に応答して一時サービス名を前記ＷＴＲＵによって受信し、前記一時サービス名は前記サービスの特徴を指定している複数のテキスト文字列を含み、
　前記一時サービス名に基づいて、前記ネットワークを介して前記アプリケーションサーバによって提供される前記サービスの前記セッションに前記ＷＴＲＵによって参加する
　ように構成されたことを特徴とするＷＴＲＵ。」
第３　拒絶の理由
　平成３０年　７月１３日付けで当審が通知した拒絶理由（以下、「当審拒絶理由」という。）の概要は、
　この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない、というものであり、補正前の請求項１３に対して引用例７が引用されている。
引用例７：特表２００７−５３５１８６号公報
第４　引用例及び周知事項
１．引用例７
　当審拒絶理由に引用された特表２００７−５３５１８６号公報（以下、「引用例７」という。）には、図面とともに次の記載がある。(下線は当審が付与。) 
（１）　「【０００９】
　本発明を図１〜図４を参照しながら詳述する。
図１は、本発明の一実施形態による無線通信システム１００のブロック図である。通信システム１００は、無線アクセス・ネットワーク（ＲＡＮ）１１０と無線通信する
複数の移動局（ＭＳ）
を含む
通信システム１００は、さらに、
マルチメディア・ブロードキャスト／マルチキャスト・サービス（ＭＢＭＳ）サーバ１２２
を含む。
（２）「【００１２】
　通信システム１００はさらに、ＩＰネットワークのようなデータ・ネットワーク１３４を介してインフラストラクチャ１３２に結合された、特にサーバ１２２に結合されたＩＰマルチキャスト・サーバのようなマルチメディア・ブロードキャスト／マルチキャスト・サービス（ＭＢＭＳ）コンテンツ・プロバイダ１３６を含む。
通信システム１００が提供し、ＭＳ１０２〜１０４の各々が加入できるＭＢＭＳサービスの一部として、ＭＢＭＳコンテンツ・プロバイダ１３６は、サーバ１２２、サポート・ノード１１６およびＲＡＮ１１０を介して、通常ＩＰデータ・パケットの形式で、ＭＢＭＳデータをＭＳ１０２〜１０４に送信する。
（中略）
【００１４】
　サービスＩＤはＭＢＭＳサービスに一意的に関連する識別子である。本発明の一実施形態では、サービスＩＤは、ＭＢＭＳサービスを識別するインターネット・プロトコル（ＩＰ）マルチキャスト・アドレスのようなルーティング・アドレスを含むかまたはその一機能である。例えば、ルーティング・アドレスは、イベントまたは
ＭＢＭＳデータを送信するサーバ１２２上のアプリケーションに関連するデータを送信するＭＢＭＳコンテンツ・プロバイダ１３６
（３）「【００１７】
　通信システム１００がＭＢＭＳサービスの提供に関する加入グループを確立し、加入ＭＳに、関連するＭＢＭＳデータのブロードキャスト／マルチキャストを通知するために、通信システム１００は各々がＭＢＭＳサービスに割り当てられ、サービス加入ＭＳに配信される一時的移動体グループ識別子（ＴＭＧＩ）を生成する。図３は、通信システム１００が本発明の一実施形態によるＭＢＭＳサービスに関連する一時的移動体グループ識別子（ＴＭＧＩ）を生成し、割り当て、配信する方法の論理フロー図３００である。論理フロー図３００は（３０２で）開始し、通信システム１００、特にサーバ１２２が、スーパーボウルまたはワールド・カップのサッカーの試合のようなスポーツ・イベントのブロードキャストのようなＭＢＭＳサービスに関するサービス通知を各ＭＳ１０２〜１０４に搬送する（３０４で）。
（中略）
【００１９】
　サービス通知の受信（３０６）に応答して、ＭＳ１０２のようなＭＳ１０２〜１０４は、サービス通知で識別されたＭＢＭＳサービスに加入するか否かを決定する（３０８）。
ＭＳ、すなわち、ＭＳ１０２がサービス加入を決定すると、ＭＳは
ＭＢＭＳサービスへの加入要求を搬送する（３１０）。
（中略）
【００２１】
　加入要求の受信（３１２）に応答して、サポート・ノード１１６は、加入ＭＳ、すなわち、ＭＳ１０２がこのサポート・ノード上でこの特定のＭＢＭＳサービスを起動する最初のＭＳであるか否かを判定する（３１４）。ＭＳ１０２がこのサポート・ノード上で特定のＭＢＭＳサービスを起動する最初のＭＳであるという判定に応答して、サポート・ノード１１６は、ＭＢＭＳサービスへの加入を要求するメッセージをサーバ１２２に搬送する（３１６）。本発明の一実施形態では、この要求はサポート・ノード１１６のＭＢＭＳサービス加入の意思を通知するものである。本発明の別の実施形態では、この要求はＭＳ１０２のＭＢＭＳサービス加入の意思またはサポート・ノード１１６およびＭＳ１０２のＭＢＭＳサービス加入の意思を通知するものである。このメッセージはＭＢＭＳサービスに関連する識別子、好ましくは、サービスに関連するサービスＩＤおよび／またはルーティング・アドレスと、サポート・ノード１１６のルーティング・アドレスのような要求を提出するサポート・ノードを識別するサポート・ノード識別子を含む。このメッセージは加入ＭＳ１０２に関連する移動体ＩＤをさらに含むことができる。
【００２２】
　サポート・ノード１１６からＭＢＭＳサービス加入メッセージを受信すると、サーバ１２２は、これが、ＭＢＭＳサービスに加入する、すなわち、ＭＢＭＳサービスまたはイベントに関連するグループに加入する、サーバが受信した時間的に最初の要求であるか否かを判定する（３２０）。サーバ１２２がこれがＭＢＭＳサービスに加入する最初の要求であると判定する（３２０）と、サーバ１２２はサービスに関連する一時的移動体グループ識別子（ＴＭＧＩ）を生成する（３２２）。サポート・ノード１１６ではなくサーバ１２２内でのＴＭＧＩ生成および割り当て機能を突き止めると、通信システム１００はすべてのＴＭＧＩの集中レポジトリとＴＭＧＩの作成、割り当て、配信、および割り当て解除の集中制御を提供し、それによりＴＭＧＩの二重割り当ての可能性を回避し、ＴＭＧＩ再利用を最大限にする。サーバ１２２は、サーバの１つまたは複数のメモリ素子１２６に含まれるデータベース１２８内にＴＭＧＩを記憶し（３２４）、記憶されたＴＭＧＩを生成し、このＴＭＧＩはＭＢＭＳサービスに関連するサービスＩＤおよび／またはルーティング・アドレスのようなＭＢＭＳサービスに関する情報と関連付けてデータベース内に記憶される。さらに、サーバ１２２は、サーバの１つまたは複数のメモリ素子１２６内、好ましくは、データベース１２８内にＴＭＧＩと関連付けて、要求を提出したサポート・ノード１１６のルーティング・アドレスのようなサポート・ノード識別子を記憶することで、イベントに関連する加入グループを作成する（３２８）。さらに、サーバ１２２は、サーバが移動体ＩＤを入手可能になると、応答ＭＳ、すなわち、ＭＳ１０２に関連する移動体ＩＤを記憶することができる。
（中略）
【００２５】
　
ＭＢＭＳサービスに関連するＴＭＧＩの生成または取り出しに応答して、サーバ１２２は、サポート・ノード、すなわち、ＭＳにサービスを提供するサポート・ノード１１６を介して応答ＭＳ１０２〜１０４にＴＭＧＩを搬送する（３３０，３３２）。
（中略）
【００２８】
　
ＭＳ１０２のようなＭＳがＴＭＧＩを受信すると（３３４）、ＭＳ１０２はＭＳの１つまたは複数のメモリ素子２０８のテーブル２１０内にＴＭＧＩを記憶する（３３６）。好ましくは、ＴＭＧＩはＭＢＭＳサービスに関連するＩＰマルチキャスト・アドレスおよびＡＰＮと関連付けてテーブル２１０に記憶される。
【００２９】
　図４は、本発明の一実施形態によるＴＭＧＩのビット・レイアウト４００である。ＴＭＧＩの一実施形態では、
ＴＭＧＩは、加入グループまたはＭＢＭＳサービスに関連するグループ識別子（グループＩＤ）が埋め込まれた第１のグループ識別子（グループＩＤ）データ・フィールド４０２を含む。
グループＩＤは、「ワールド・カップ・サッカー２００４、第１試合」のようなイベント名またはイベント名、およびイベント日時のようなサービスを一意的に識別する任意の識別子でよい。
（中略）
【００３２】
　
ＭＢＭＳサービスに対応するイベントが開始すると、
サーバ１２２は、サービスＩＤとＴＭＧＩがサーバによってデータ・パケット内に埋め込まれたＭＢＭＳサービスと関連付けられた（３４０）状態で、サポート・ノード１１６を介してＲＡＮ制御装置１１４にデータ・パケットの組を搬送する（３４２）。
【００３３】
　
データ・パケットの組と関連するサービスＩＤおよびＴＭＧＩの受信に応答して、ＲＡＮ制御装置１１４は、現在ＲＡＮ制御装置によってサービスを提供され、ＭＢＭＳサービスに加入している各ＭＳ１０２〜１０４との通信セッションを設定する（３４４）。
（中略）
【００３５】
　ＰＴＭ通信チャネルまたはＰＴＰ通信チャネルを確立すると、
ＲＡＮ制御装置１１４は確立した１つまたは複数のチャネルを介して、加入ＭＳ１０２〜１０４にデータ・パケットの組を搬送する（３４６）。データ・パケットの組を受信すると、各ＭＳ１０２〜１０４は、ＭＳの１つまたは複数のメモリ素子２０８内に、データ・パケットの組に含まれるセッション記述を記憶し、セッション記述とユーザ・インタフェース２１２の表示画面２１４上のデータ・パケットの組に含まれる得点またはビデオ・クリップのようなペイロードを表示する。
（４）　図１は以下のとおりである。
　上記各記載からみて、
ア　上記（１）の記載及び図１によれば、通信システムは、「移動局（ＭＳ）」と「ＭＢＭＳサーバ１２２」が「無線アクセス・ネットワーク（ＲＡＮ１１０）」を介して通信するシステムであるといえる。
イ　上記（２）の段落１２及び段落１４の記載によれば、ＭＢＭＳコンテンツ・プロバイダ１３６から送信され、ＭＢＭＳサーバ１２２を介して移動局（ＭＳ）に提供されるＭＢＭＳデータはＭＢＭＳサーバ１２２上のアプリケーションに関連するデータであり、上記（３）の段落３２の記載によれば、ＭＢＭＳサーバ１２２はデータを搬送していることから、ＭＢＭＳサーバ１２２はアプリケーションに関連するデータを送信するサーバといえる。
　また、上記（３）の段落３２の記載によれば、ＭＢＭＳサーバ１２２はＭＢＭＳサービスと関連付けられた状態でデータ・パケットを搬送していることから、ＭＢＭＳサーバ１２２によってＭＢＭＳサービスが提供されるといえる。
　上記（３）の段落１９の記載によれば、移動局（ＭＳ）のＭＢＭＳサービスへの加入要求を送信しており、移動局（ＭＳ）のＭＢＭＳサービスへの加入要求は「ＭＢＭＳサーバによって提供されるＭＢＭＳサービスに対する加入要求」といえる。
　そして、無線アクセス・ネットワーク（ＲＡＮ１１０）は移動局（ＭＳ）に通信接続性を提供しているといえることから、「移動局への通信接続性を提供する無線アクセス・ネットワーク（ＲＡＮ１１０）」といえる。
　したがって、移動局（ＭＳ）は、「アプリケーションに関連するデータを送信するＭＢＭＳサーバによって提供されるＭＢＭＳサービスに対する加入要求を移動局への通信接続性を提供する無線アクセス・ネットワーク（ＲＡＮ１１０）を介して前記移動局によって送」っているといえる。
ウ　上記（３）の段落２５の記載によれば、加入要求に応答する際に、ＭＢＭＳサーバ１２２は移動局（ＭＳ）に一時的移動体グループ識別子（ＴＭＧＩ）を搬送し、上記（３）の段落２８の記載によれば、移動局（ＭＳ）がＴＭＧＩを受信しているといえる。
　したがって、「加入要求に応答した一時的移動体グループ識別子（ＴＭＧＩ）を移動局によって受信」するといえる。
　また、上記（３）の段落２９の記載によれば、ＴＭＧＩは、加入グループまたはＭＢＭＳサービスに関連するグループ識別子（グループＩＤ）が埋め込まれた第１のグループ識別子（グループＩＤ）データ・フィールド４０２を含み、グループＩＤは、「ワールド・カップ・サッカー２００４、第１試合」のようなイベント名またはイベント名、およびイベント日時のようなサービスを一意的に識別する任意の識別子でよいことから、「ＴＭＧＩはサービスのイベント名またはイベント日時のようなサービスを識別する識別子を含」むといえる。
エ　上記（３）の段落３３の記載によれば、ＴＭＧＩの受信に応答して、各ＭＳ１０２〜１０４との通信セッションを設定しており、通信セッションは無線アクセス・ネットワーク（ＲＡＮ１１０）を介して設定されていることは明らかであるから、移動局は「ＴＭＧＩに基づいて、無線アクセス・ネットワーク（ＲＡＮ１１０）を介してＭＢＭＳサーバによって提供されるＭＢＭＳサービスの通信セッションが設定され」ているといえ、上記（３）の段落３５の記載によれば、通信セッションが設定された後、移動局（ＭＳ）によってＭＢＭＳサービスのデータ・パケットを受信していることから、通信セッションが設定された後、「移動局はデータ・パケットを受信する」といえる。
　以上を総合すると、引用例７には、次の発明(以下、「引用発明」という。)が記載されていると認められる。
「　移動局であって、
　アプリケーションに関連するデータを送信するＭＢＭＳサーバによって提供されるＭＢＭＳサービスに対する加入要求を前記移動局への通信接続性を提供する無線アクセス・ネットワーク（ＲＡＮ１１０）を介して前記移動局によって送り、
　前記加入要求に応答した一時的移動体グループ識別子（ＴＭＧＩ）を前記移動局によって受信し、前記ＴＭＧＩはサービスのイベント名またはイベント日時のようなサービスを識別する識別子を含み、
　前記ＴＭＧＩに基づいて、前記無線アクセス・ネットワーク（ＲＡＮ１１０）を介して前記ＭＢＭＳサーバによって提供される前記ＭＢＭＳサービスの前記通信セッションが設定され、前記移動局はデータ・パケットを受信する
　ように構成された移動局。」
２．周知事項
（１）　特開２００９−１７７６３７号公報には（以下、「周知例１」という。）には、以下の事項が記載されている。（下線は当審が付与。）
「【０１０６】
  （２）次に、サーバ９０は、通信装置１０からのセッションの開始要求に対して、新たなセッションを開設し、
開設したセッションを識別するための識別情報であるセッションＩＤ（ここでは、ＡＡＡ）
ＡＡＡ
文字列
（２）　国際公開第２００６／１１５２１５号には（以下、「周知例２」という。）には、以下の事項が記載されている。（下線は当審が付与。）
「 [0025]  図１とともに図２のフローチャートを参照すると、ネットワーク・オペレータ（通信事業者）は、新しいＳＩＭ（不図示）を出荷する場合、ステップ３１に示すように、電話帳記憶部２３内にいくつかのエントリを予めプログラムしておく。あるいは、記憶部２３は、電話機の本体内の別個の記憶部であってもよい。これらのエントリには、ネットワーク・オペレータが定義しようとする各サービスのための完全な名前またはサービス識別子（ＳＩ）のフィールド、および関連するデフォルトの電話番号のフィールドが含まれる。
サービス識別子は、英数字文字列
である
　上記の（１）、（２）の記載によれば、「識別子を文字列で表す。」ことは周知事項であると認められる。
第５　対比及び判断
　本願発明と引用発明とを対比する。
１．引用発明の「移動局」は、「無線送受信ユニット（ＷＴＲＵ）」に含まれる。
２．引用発明の「ＭＢＭＳサーバ」はアプリケーションに関連するデータを送信するサーバであるから、アプリケーションサーバと称することは任意である。
　また、引用発明の「ＭＢＭＳサービス」、「通信セッション」、「加入要求」、「無線アクセス・ネットワーク（ＲＡＮ１１０）」は、それぞれ本願発明の「サービス」、「セッション」、「要求」、「ネットワーク」に相当する。
　そして、引用発明では通信セッションを移動局に設定することでＭＢＭＳサービスを受信することができることから、引用発明の「加入要求」はＭＢＭＳサービスに対するセッションに参加するための要求といえる。
　したがって、引用発明の「アプリケーションに関連するデータを送信するＭＢＭＳサーバによって提供されるＭＢＭＳサービスに対する加入要求を前記移動局への通信接続性を提供する無線アクセス・ネットワーク（ＲＡＮ１１０）を介して前記移動局によって送り、」は、本願発明の「アプリケーションサーバによって提供されるサービスに対するセッションに参加するための要求を前記ＷＴＲＵへの通信接続性を提供するネットワークを介して前記ＷＴＲＵによって送り、」に相当する。
３．引用発明の「一時的移動体グループ識別子（ＴＭＧＩ）」は、ＭＢＭＳサービスに対応する識別子であるから、本願発明の「一時サービス名」とは「一時サービス識別子」である点で一致している。
　また、引用発明の「前記加入要求に応答した一時的移動体グループ識別子（ＴＭＧＩ）を前記移動局によって受信」することは、移動局の加入要求に応答して送られてくる一時的移動体グループ識別子（ＴＭＧＩ）を移動局によって受信しているといえることから、引用発明の「前記加入要求に応答した一時的移動体グループ識別子（ＴＭＧＩ）を前記移動局によって受信し、」は本願発明と「前記要求に応答して一時サービス識別子を前記ＷＴＲＵによって受信し、」の点で一致する。
４．引用発明の「通信セッションが設定され、前記移動局はデータ・パケットを受信する」ことは、移動局に通信セッションが設定されることで、ＭＢＭＳサービスの通信セッションに移動局によって参加しているといえることから、引用発明の「前記ＴＭＧＩに基づいて、前記無線アクセス・ネットワーク（ＲＡＮ１１０）を介して前記ＭＢＭＳサーバによって提供される前記ＭＢＭＳサービスの前記通信セッションが設定され、前記移動局はデータ・パケットを受信する」は、本願発明と「前記一時サービス識別子に基づいて、前記ネットワークを介して前記アプリケーションサーバによって提供される前記サービスの前記セッションに前記ＷＴＲＵによって参加する」の点で一致する。
　以上のことから、本願発明と引用発明との一致点及び相違点は、次のとおりである。
（一致点）
「　無線送受信ユニット（ＷＴＲＵ）であって、
　アプリケーションサーバによって提供されるサービスに対するセッションに参加するための要求を前記ＷＴＲＵへの通信接続性を提供するネットワークを介して前記ＷＴＲＵによって送り、
　前記要求に応答して一時サービス識別子を前記ＷＴＲＵによって受信し、
　前記一時サービス識別子に基づいて、前記ネットワークを介して前記アプリケーションサーバによって提供される前記サービスの前記セッションに前記ＷＴＲＵによって参加する
　ように構成されたＷＴＲＵ。」
（相違点）
　一致点である「一時サービス識別子」が、本願発明では「サービスの特徴を指定している複数のテキスト文字列を含」む「一時サービス名」であるのに対して、引用発明ではサービスのイベント名またはイベント日時のようなサービスを識別する識別子を含む一時的移動体グループ識別子（ＴＭＧＩ）であるが、当該発明特定事項が特定されていない点。
（相違点について）
　まず、引用発明の一時的移動体グループ識別子（ＴＭＧＩ）に含まれるイベント名やイベント日時はサービスの特徴を指定しているといえることから、引用発明の一時的移動体グループ識別子（ＴＭＧＩ）はサービスの特徴を含んでいるといえる。
　また、上記「第３」の「２．周知事項」によれば、識別子を文字列で表すことは周知であり、サービスの識別子としてどのような形態とするかは当業者にとって設計的事項にすぎない。そして、サービスの識別子として文字列を採用する際に、文字列をいくつ設けるかも当業者にとって設計的事項にすぎない。
　そうすると、引用発明において、一時的移動体グループ識別子（ＴＭＧＩ）をサービスの特徴を指定している複数のテキスト文字列を含むようにして、本願発明の構成とすることは当業者が適宜なし得ることである。
　したがって、本願発明は、引用発明及び周知技術に基づいて、当業者が容易に発明をすることができたものであるといえる。
第６　むすび
　以上のとおり、本願発明は、特許法第２９条第２項の規定により特許を受けることができないから、他の請求項に係る発明について検討するまでもなく、本願は拒絶されるべきものである。
　よって、結論のとおり審決する。